(57)【要約】【課題】分析条件を指定する条件指定画面で，容易にかつ適切に利用者の特性（担当業務）に合わせた条件指定の選択を可能とし，分析業務のスピード化，効率化を支援する。【解決手段】記憶装置２に，利用者の担当業務の情報と過去に選択された分析条件の指定項目に関する情報を履歴データ２１として蓄積しておく。利用者に，分析条件の指定項目を指定させるための条件指定画面を編集するにあたって，最初に利用者の担当業務を特定し，特定した担当業務と同じ担当業務の利用者が所定の期間内に選択した条件の指定項目に係る分析データの参照回数を，履歴データ集計部１０５によって各指定項目ごとに集計する。集計した参照回数を条件指定画面に埋め込んで表示する。さらに，分析データの表示の際に，他の分析条件に移行するための移行先条件指定画面を同様に表示する。【選択図】図１
2010237900.tif 000002
【特許請求の範囲】
【請求項１】
分析対象の実績データについてどのような分析を行うかを指定する条件の指定項目を条件指定画面から入力し，指定された条件に従って前記実績データを加工した分析データを表示する分析支援処理装置であって，
前記条件指定画面により指定される条件の指定項目に対応づけられる分析対象となる実績の明細データからなる実績データを記憶する実績データ記憶手段と，
各利用者が前記条件指定画面において選択した条件の指定項目の情報と，その利用者の担当業務の情報と，その利用者が選択した条件の指定項目に係る分析データを参照した時刻に関する情報とを含む履歴データを記憶する履歴データ記憶手段と，
少なくとも各利用者の識別情報と担当業務との対応情報が格納された識別情報記憶手段と，
入力された利用者の識別情報から前記識別情報記憶手段を参照して利用者の担当業務を特定する手段と，
前記履歴データ記憶手段に記憶された履歴データから，前記特定した担当業務と同じ担当業務の利用者が所定の期間内に選択した条件の指定項目に係る分析データの参照回数を各指定項目ごとに集計する履歴データ集計手段と，
前記履歴データ集計手段が集計した各指定項目ごとの参照回数情報を，前記条件指定画面の各指定項目内に記入した画面を編集する条件指定画面編集手段と，
編集された条件指定画面を表示装置に表示する条件指定画面表示手段と，
前記条件指定画面表示手段により表示した条件指定画面から条件の指定項目を入力する手段と，
前記入力された条件の指定項目に従って前記実績データを加工した分析データを表示するための分析用表示画面を編集する分析用表示画面編集手段と，
前記分析用表示画面編集手段により編集された分析用表示画面を表示装置に表示する実績表示画面表示手段と，
前記入力された条件の指定項目と前記利用者の担当業務と前記分析用表示画面を表示した時刻とから前記履歴データ記憶手段における履歴データを更新する履歴データ更新手段とを備える
ことを特徴とする分析支援処理装置。
【請求項２】
請求項１記載の分析支援処理装置において，
前記履歴データ集計手段は，前記参照回数の集計とともに，前記各指定項目に係る分析データの参照時間を集計し，
前記条件指定画面編集手段は，前記各指定項目ごとの参照回数を前記集計した参照時間に応じてあらかじめ定められた重み値によって重み付けし，重み付け後の参照回数を前記参照回数情報として各指定項目内に記入する
ことを特徴とする分析支援処理装置。
【請求項３】
請求項１または請求項２記載の分析支援処理装置において，
前記条件指定画面編集手段は，前記参照回数情報の値の範囲に応じてあらかじめ定められた色または濃度により，前記条件指定画面における指定項目を表示する
ことを特徴とする分析支援処理装置。
【請求項４】
請求項１，請求項２または請求項３記載の分析支援処理装置において，
前記条件指定画面から条件の指定項目が入力され，前記入力された条件の指定項目に従って前記実績データを加工した分析データを分析用表示画面に表示する際に，さらに他の条件の指定項目を入力して該入力された条件の指定項目に推移するための指定項目の一覧からなる移行先条件指定画面を編集する移行先条件指定画面編集手段を備え，
前記実績表示画面表示手段は，前記分析用表示画面とともに前記移行先条件指定画面を表示装置に表示する
ことを特徴とする分析支援処理装置。
【請求項５】
請求項４記載の分析支援処理装置において，
前記履歴データ集計部は，前記特定した担当業務と同じ担当業務の利用者が現在選択されている条件の指定項目から他の条件の指定項目へ推移した推移回数を，前記履歴データ記憶手段に記憶された所定の期間内の履歴データを参照して移行先の条件の指定項目ごとに集計し，
前記移行先条件指定画面編集手段は，前記集計した推移回数を前記移行先条件指定画面における各移行先の指定項目内に記入した画面を編集する
ことを特徴とする分析支援処理装置。
【請求項６】
分析対象の実績データについてどのような分析を行うかを指定する条件の指定項目を入力し，指定された条件に従って前記実績データを加工した分析データを表示する分析支援処理装置であって，
前記条件の指定項目に対応づけられる分析対象となる実績の明細データからなる実績データを記憶する実績データ記憶手段と，
各利用者が入力した条件の指定項目の情報と，その利用者の担当業務の情報と，その利用者が選択した条件の指定項目に係る分析データを参照した時刻に関する情報とを含む履歴データを記憶する履歴データ記憶手段と，
少なくとも各利用者の識別情報と担当業務との対応情報が格納された識別情報記憶手段と，
入力された利用者の識別情報から前記識別情報記憶手段を参照して利用者の担当業務を特定する手段と，
前記履歴データ記憶手段に記憶された履歴データから，前記特定した担当業務と同じ担当業務の利用者が現在選択されている条件の指定項目から他の条件の指定項目へ推移した推移回数を，前記履歴データ記憶手段に記憶された所定の期間内の履歴データを参照して移行先の条件の指定項目ごとに集計する履歴データ集計手段と，
入力された条件の指定項目に従って前記実績データを加工した分析データを表示するための分析用表示画面を編集する分析用表示画面編集手段と，
前記入力された条件の指定項目から，さらに他の条件の指定項目を入力して該入力された条件の指定項目に推移するための指定項目の一覧からなる移行先条件指定画面を編集するとともに，前記集計した推移回数を前記移行先条件指定画面における各移行先の指定項目内に記入する編集を行う移行先条件指定画面編集手段と，
前記分析用表示画面編集手段により編集された分析用表示画面と，前記移行先条件指定画面編集手段により編集された移行先条件指定画面とを表示装置に表示する実績表示画面表示手段と，
前記入力された条件の指定項目と前記利用者の担当業務と前記分析用表示画面を表示した時刻とから前記履歴データ記憶手段における履歴データを更新する履歴データ更新手段とを備える
ことを特徴とする分析支援処理装置。
【請求項７】
請求項５または請求項６記載の分析支援処理装置において，
前記移行先条件指定画面編集手段は，前記推移回数の値の範囲に応じてあらかじめ定められた色または濃度により，前記移行先条件指定画面における指定項目を表示する
ことを特徴とする分析支援処理装置。
【請求項８】
請求項４から請求項７までのいずれか１項に記載の分析支援処理装置において，
前記移行先条件指定画面編集手段は，前記移行先条件指定画面において現在の分析の条件に移行する前の条件に係る指定項目を強調表示するとともに，現在の分析の条件に係る指定項目を強調表示する編集を行う
ことを特徴とする分析支援処理装置。
【請求項９】
請求項１から請求項８までのいずれか１項に記載の分析支援処理装置において，
前記入力された条件の指定項目に従って前記実績データを加工した分析データの項目に対して，上限値もしくは下限値またはその双方の設定値を基準値として記憶する基準値記憶手段を備え，
前記分析用表示画面編集手段は，前記分析用表示画面の編集の際に，前記分析データの項目を前記基準値記憶手段に記憶された基準値と比較し，基準値から外れた分析データの項目を強調表示する編集を行う
ことを特徴とする分析支援処理装置。
【請求項１０】
コンピュータを，請求項１から請求項９までのいずれか１項に記載の分析支援処理装置が備える手段として機能させるための分析支援処理プログラム。
【発明の詳細な説明】
【技術分野】
【０００１】
本発明は，基幹系システムに蓄積されている売上や仕入やその他の実績データの分析を支援する分析支援処理装置およびそのプログラムに関するものである。
【背景技術】
【０００２】
販売管理などで，基幹系システムの売上実績データをさまざまな角度から分析することは広く行われている。そのために，コンピュータを用いた売上実績分析支援システムが用いられている。
【０００３】
売上実績分析支援システムの利用者も，経営層，マーケティング部門，販売部門，仕入部門等，さまざまであり，各利用者の職務に応じて種々の分析が行われている。部門内部においても，部門責任者，中間管理職，実務担当等，役職もさまざまであり，各々の担当業務により売上実績データの見るべきポイント，数値の括り方，捉え方が違う。
【０００４】
例えば，店舗責任者であれば，自分の店舗内の商品売上（大分類）の把握が主な用途になる。店舗内の管理者であれば，店舗内の日別の売上詳細の把握が主な用途である。店舗責任者を統括する販売部門の責任者であれば，店舗全体の売上，およびエリア別の売上（大分類）の数値の把握が主な用途である。経営層であれば，全社売上の把握が主な用途であり，職務と役職，担当業務により使い方が違う。
【０００５】
以上のような分析の多様化に伴い，売上実績分析支援システムにおける分析の結果を表示させるための条件指定画面では，さまざまな用途に対応するべく選択肢をきめ細かく設定し，ドリルダウン，ドリルアップ方式等の機能を装備する必要がある。このため，従来技術では，条件指定画面での指定の方法は複雑になり，目的とする表示画面に辿り着くまでに多大な時間がかかるといった問題があった。また，ドリルダウン分析では，現在表示されている画面がどの階層に属しているのかが表示されていないため，次に進むべき階層が分からなくなるといった問題もあった。
【０００６】
なお，特許文献１には，階層構造をなしている複数の表示画面を選択的に表示させるときに，階層構造における各表示画面の位置関係を容易に把握できるようにするため，各表示画面のタイトルが付されたブロックと，それらを接続する線分により階層構造を表す画面を表示し，いずれかのブロックがクリックされたとき，対応する画面をマルチウィンドウ上にオープンにし，かつ，そのブロックにハッチング表示を付すことが開示されている。
【先行技術文献】
【特許文献】
【０００７】
【特許文献１】特開平６−３２４８２８号公報
【発明の概要】
【発明が解決しようとする課題】
【０００８】
前述したような，売上実績分析支援システムにおいては，実績数値の分析業務（ドリルダウン，ドリルアップ検索等）における多様な利用者の利便性（スピード，効率化）を考慮した条件指定画面表示機能を有することが望まれる。
【０００９】
特許文献１に記載されているような単なる表示画面の位置関係の把握を容易にするだけの表示技術では，部門，部門内階層，担当業務等の利用者の特性に応じて，必要な実績表示画面を容易にかつ適切に選択して表示させるには不十分である。
【００１０】
以上の問題を解決する方法の一案としては，利用者の特性に応じて，例えば売上実績分析支援システムをコンピュータによって実現するための売上実績分析支援プログラムを，それぞれの利用者が必要となる実績表示画面をグループ化し，別々に作成する案も考えられるが，こうした場合にはプログラムの数が増え，プログラムの管理および保守も煩雑になる。
【００１１】
したがって，売上実績分析支援システムでは，種々の分析支援を統合的に行うことができることが必須であり，さまざまな部門，階層の人が利用する分析業務において，どのような分析データを表示するかの条件を指定する条件指定画面で，容易にかつ適切に利用者の特性（部門，階層，職務等）に合わせた条件の指定を可能とする必要がある。
【００１２】
本発明は，以上の点に鑑み，売上実績分析支援システムにおける分析業務のスピード化，効率化を支援することを目的としている。
【課題を解決するための手段】
【００１３】
本発明は，上記課題を解決するため，以下のような手段を用いる。
【００１４】
１．検索条件は，利用する担当業務ごとに，参照回数，参照順序を履歴として履歴ファイルに保持しておく。参照回数，順序は期間ごとに集計を行う。
【００１５】
２．条件指定画面が表示されたとき，参照回数と参照時間に応じた強調表示（色，濃淡など），回数の表示を行う。
【００１６】
３．条件指定画面から，実際の実績表示画面に推移したとき，条件指定画面（以下，これを移行先条件指定画面という）も同時に表示し，選択された項目を強調表示する。
【００１７】
４．さらに，実績表示画面が推移した経過を移行先条件指定画面に表示させ，次に進むべき条件を利用頻度（参照頻度）により強調表示する。利用者は，これを参考に次に進む実績表示画面を最初の条件指定画面に戻らずに，表示させることができる。
【００１８】
５．実績表示画面では，基準値と比較した結果，異常と判断された数値に対してアラーム表示を行うようにする。アラーム表示は，行全体と，項目に対して行う。
【００１９】
詳しくは，本発明は，分析対象の実績データについてどのような分析を行うかを指定する条件の指定項目を条件指定画面から入力し，指定された条件に従って前記実績データを加工した分析データを表示する分析支援処理装置であって，前記条件指定画面により指定される条件の指定項目に対応づけられる分析対象となる実績の明細データからなる実績データを記憶する実績データ記憶手段と，各利用者が前記条件指定画面において選択した条件の指定項目の情報と，その利用者の担当業務の情報と，その利用者が選択した条件の指定項目に係る分析データを参照した時刻に関する情報とを含む履歴データを記憶する履歴データ記憶手段と，少なくとも各利用者の識別情報と担当業務との対応情報が格納された識別情報記憶手段と，入力された利用者の識別情報から前記識別情報記憶手段を参照して利用者の担当業務を特定する手段と，前記履歴データ記憶手段に記憶された履歴データから，前記特定した担当業務と同じ担当業務の利用者が所定の期間内に選択した条件の指定項目に係る分析データの参照回数を各指定項目ごとに集計する履歴データ集計手段と，前記履歴データ集計手段が集計した各指定項目ごとの参照回数情報を，前記条件指定画面の各指定項目内に記入した画面を編集する条件指定画面編集手段と，編集された条件指定画面を表示装置に表示する条件指定画面表示手段と，前記条件指定画面表示手段により表示した条件指定画面から条件の指定項目を入力する手段と，前記入力された条件の指定項目に従って前記実績データを加工した分析データを表示するための分析用表示画面を編集する分析用表示画面編集手段と，前記分析用表示画面編集手段により編集された分析用表示画面を表示装置に表示する実績表示画面表示手段と，前記入力された条件の指定項目と前記利用者の担当業務と前記分析用表示画面を表示した時刻とから前記履歴データ記憶手段における履歴データを更新する履歴データ更新手段とを備えることを特徴とする。
【００２０】
さらに，上記発明において，前記履歴データ集計手段は，前記参照回数の集計とともに，前記各指定項目に係る分析データの参照時間を集計し，前記条件指定画面編集手段は，前記各指定項目ごとの参照回数を前記集計した参照時間に応じてあらかじめ定められた重み値によって重み付けし，重み付け後の参照回数を前記参照回数情報として各指定項目内に記入することを特徴とする。
【００２１】
また，上記発明において，前記条件指定画面編集手段は，前記参照回数情報の値の範囲に応じてあらかじめ定められた色または濃度により，前記条件指定画面における指定項目を表示することを特徴とする。
【００２２】
また，上記発明において，前記条件指定画面から条件の指定項目が入力され，前記入力された条件の指定項目に従って前記実績データを加工した分析データを分析用表示画面に表示する際に，さらに他の条件の指定項目を入力して該入力された条件の指定項目に推移するための指定項目の一覧からなる移行先条件指定画面を編集する移行先条件指定画面編集手段を備え，前記実績表示画面表示手段は，前記分析用表示画面とともに前記移行先条件指定画面を表示装置に表示することを特徴とする。
【００２３】
また，上記発明において，前記履歴データ集計部は，前記特定した担当業務と同じ担当業務の利用者が現在選択されている条件の指定項目から他の条件の指定項目へ推移した推移回数を，前記履歴データ記憶手段に記憶された所定の期間内の履歴データを参照して移行先の条件の指定項目ごとに集計し，前記移行先条件指定画面編集手段は，前記集計した推移回数を前記移行先条件指定画面における各移行先の指定項目内に記入した画面を編集することを特徴とする。
【００２４】
また，分析の効率化という同じ課題を解決する他の本発明は，分析対象の実績データについてどのような分析を行うかを指定する条件の指定項目を入力し，指定された条件に従って前記実績データを加工した分析データを表示する分析支援処理装置であって，前記条件の指定項目に対応づけられる分析対象となる実績の明細データからなる実績データを記憶する実績データ記憶手段と，各利用者が入力した条件の指定項目の情報と，その利用者の担当業務の情報と，その利用者が選択した条件の指定項目に係る分析データを参照した時刻に関する情報とを含む履歴データを記憶する履歴データ記憶手段と，少なくとも各利用者の識別情報と担当業務との対応情報が格納された識別情報記憶手段と，入力された利用者の識別情報から前記識別情報記憶手段を参照して利用者の担当業務を特定する手段と，前記履歴データ記憶手段に記憶された履歴データから，前記特定した担当業務と同じ担当業務の利用者が現在選択されている条件の指定項目から他の条件の指定項目へ推移した推移回数を，前記履歴データ記憶手段に記憶された所定の期間内の履歴データを参照して移行先の条件の指定項目ごとに集計する履歴データ集計手段と，入力された条件の指定項目に従って前記実績データを加工した分析データを表示するための分析用表示画面を編集する分析用表示画面編集手段と，前記入力された条件の指定項目から，さらに他の条件の指定項目を入力して該入力された条件の指定項目に推移するための指定項目の一覧からなる移行先条件指定画面を編集するとともに，前記集計した推移回数を前記移行先条件指定画面における各移行先の指定項目内に記入する編集を行う移行先条件指定画面編集手段と，前記分析用表示画面編集手段により編集された分析用表示画面と，前記移行先条件指定画面編集手段により編集された移行先条件指定画面とを表示装置に表示する実績表示画面表示手段と，前記入力された条件の指定項目と前記利用者の担当業務と前記分析用表示画面を表示した時刻とから前記履歴データ記憶手段における履歴データを更新する履歴データ更新手段とを備えることを特徴とする。
【００２５】
また，上記発明において，前記移行先条件指定画面編集手段は，前記推移回数の値の範囲に応じてあらかじめ定められた色または濃度により，前記移行先条件指定画面における指定項目を表示することを特徴とする。
【００２６】
また，上記発明において，前記移行先条件指定画面編集手段は，前記移行先条件指定画面において現在の分析の条件に移行する前の条件に係る指定項目を強調表示するとともに，現在の分析の条件に係る指定項目を強調表示する編集を行うことを特徴とする。
【００２７】
また，上記発明において，前記入力された条件の指定項目に従って前記実績データを加工した分析データの項目に対して，上限値もしくは下限値またはその双方の設定値を基準値として記憶する基準値記憶手段を備え，前記分析用表示画面編集手段は，前記分析用表示画面の編集の際に，前記分析データの項目を前記基準値記憶手段に記憶された基準値と比較し，基準値から外れた分析データの項目を強調表示する編集を行うことを特徴とする。
【発明の効果】
【００２８】
本発明の効果は以下のとおりである。
（１）分析業務に対しての担当業務ごとに最適な分析作業の誘導が可能となるため，効率化が図れる。
（２）担当業務ごとに条件指定画面を用意する必要はなく，標準的な共通画面のみで良い。
（３）利用回数（参照回数），順序は，期間による集計ができるため，担当業務に応じた最適な誘導を設定することができる。
（４）実績表示画面において異常値を強調表示することで，事業の変化が迅速に把握でき，事業戦略の立案，変更に寄与する。
（５）分析業務は本来「非定型業務」であるが，担当業務ごとに「定型化」が可能となる。
（６）利用期間が長期になるほど効果が上がる。
【図面の簡単な説明】
【００２９】
【図１】本発明の装置構成例を示す図である。
【図２】システム全体の構成例を示す図である。
【図３】本発明の実施形態における条件指定画面の説明図である。
【図４】実績表示画面の例を示す図である。
【図５】本発明の実施形態に係る分析支援処理装置の処理フローチャートである。
【図６】ログインＩＤファイルのデータ構成例を示す図である。
【図７】履歴データのデータ構成例を示す図である。
【図８】基準値テーブルと実績データのデータ構成例を示す図である。
【図９】分析データのデータ構成例を示す図である。
【図１０】分析データの集約の例を示す図である。
【図１１】組織階層マスタの説明図である。
【図１２】商品分類マスタの説明図である。
【図１３】本発明の実施例に係る処理フローチャートである。
【図１４】本発明の実施例に係る処理フローチャートである。
【図１５】本発明の実施例に係る処理フローチャートである。
【図１６】本発明の実施例における分析データの集計を説明する図である。
【図１７】本発明の実施例における条件設定画面の編集を説明する図である。
【図１８】本発明の実施例における分析データの集計を説明する図である。
【図１９】本発明の実施例における分析用表示画面の編集を示す図である。
【図２０】本発明の実施例における条件指定の推移を説明する図である。
【図２１】本発明の実施例における移行先条件指定画面の編集を説明する図である。
【図２２】本発明の実施例における実績表示画面の例を示す図である。
【図２３】本発明の実施例における画面操作の例を示す図である。
【発明を実施するための形態】
【００３０】
以下，図面を用いながら，本発明の実施の形態について詳細に説明する。なお，以下では，主に売上実績の分析を支援する装置の例について説明するが，本発明は売上実績の分析に限られるわけではなく，仕入実績データやその他の基幹系システムが保持するような実績データの分析に同様に適用することができる。
【００３１】
図１は，本発明の装置構成例を示す。図１において，１はＣＰＵおよびメモリ等から構成され，売上実績に関する分析を支援する処理を実行する分析支援処理装置，２はハードディスクやメモリ等の記憶装置，３は表示装置，４はマウスやキーボード等の入力装置を表す。
【００３２】
分析支援処理装置１は，全体を制御する制御部１０１，ログインＩＤファイルから利用者情報を読み込むログインＩＤファイル読込み部１０２，入力装置４からの入力情報を判定する操作判定部１０３，過去の操作に関する履歴データを読み込む履歴データ読込み部１０４，履歴データを集計する履歴データ集計部１０５，条件指定画面を編集する条件指定画面編集部１０６，条件を指定する画面を表示装置３に表示する条件指定画面表示部１０７，画面移行先の条件を指定する画面を編集する移行先条件指定画面編集部１０８，履歴データを更新する履歴データ更新部１０９，実績データから作成された分析データを読み込む分析データ読込み部１１０，分析データを集計する分析データ集計部１１１，分析データを表示する画面を編集する分析用表示画面編集部１１２，移行先条件指定画面と分析データ画面とを含む実績表示画面を表示装置３に表示する実績表示画面表示部１１３を備える。これらの各部の機能は，ＣＰＵやメモリ等のハードウェアとソフトウェアプログラムとによって実現される。
【００３３】
記憶装置２には，ログインした利用者の利用者情報が格納されたログインＩＤファイル２０，過去の操作履歴に関する履歴データ２１，アラームを上げるか否かの基準値を記憶する基準値テーブル２２，実際の売上に関する実績データ２３，実績データの分析結果を示す分析データ２４，参照頻度の設定情報を記憶する参照頻度設定テーブル２５，組織階層の構成情報を記憶する組織階層マスタ２６，商品分類情報を記憶する商品分類マスタ２７，集計の期間を記憶する期間指定テーブル２８，推移頻度の設定情報を記憶する推移頻度設定テーブル２９が格納される。
【００３４】
これらの各部の詳細を説明するに先立ち，本発明の概要について説明する。図２は，システム全体の構成例を示す図である。
【００３５】
売上実績の分析を行う分析システム６の利用者は，経営層，マーケティング部門，販売部門，仕入部門といった各職務や，部門責任者，中間管理職，実務担当といった役職等によって決まる担当業務に応じて，売上実績の分析を行う場合に，入力装置４からどのようなデータの分析を行うかについての分析の条件入力を行う。このとき，分析システム６は，ログインＩＤファイル２０および同じ担当業務の過去の操作履歴が格納された履歴データ２１を参照し，後に詳しく説明するように，分析作業の誘導を行い，条件の指定を簡易に行うことができるようにする。
【００３６】
基幹系システム５は，全店舗および全商品の売上実績に関する実績データ２３を保有している。分析システム６において条件入力が行われると，分析システム６は，基幹系システム５から実績データ２３を取り込み，基準値テーブル２２に設定された基準値などを用いて実績データ２３から分析データ２４を作成する。その結果の分析データを表示装置３に表示する。さらに条件入力が行われると，指定された条件に従って同様に分析データ２４を作成し，表示装置３に表示する。
【００３７】
以上のような実績数値の分析業務（ドリルダウン，ドリルアップ検索等）において，本発明は，特に多様な利用者の利便性を考慮した条件指定画面の提示を行う点に特徴がある。
【００３８】
図３は，本発明の実施形態における条件指定画面の説明図である。条件指定画面は，どのような実績表示画面を表示させるかという条件を入力するための画面であり，この例では，図３（Ａ）に示すように，条件指定１と条件指定２の２つの条件指定によって定まる指定項目ａ１〜ｘｎのマトリックスから，１つ指定項目の分析条件が選択されるようになっている。
【００３９】
具体的には，図３（Ｂ）に示すような売上日報の条件指定画面であり，条件なし，事業部，エリア，店舗，大分類，中分類，アイテムの条件指定１と，事業部，エリア，店舗，大分類，中分類，アイテムの条件指定２との組み合わせによって指定項目が選択されるようになっている。ここで，事業部，エリア，店舗は，組織のどの部分のデータを分析するかを指定する項目であり，大分類，中分類，アイテムは，どの商品または商品群のデータを分析するかを指定する項目である。このうち，どの指定項目を指定できるかについては，担当業務によって自動的に決められる。
【００４０】
例えば，図３（Ｂ）の条件指定画面において，条件指定１が「事業部」，条件指定２が「エリア」の指定項目は，利用者の担当業務に関係する事業部において，エリアごとの売上実績に関する分析データを表示することを指定する。
【００４１】
この条件指定画面における第１の特長は，ログインＩＤで判定した利用者の担当業務ごとに，各指定項目の参照回数Ｃa1〜Ｃxnが表示されることである。参照回数は，過去に同じ担当業務の利用者（自分を含む）が，その指定項目を利用（選択）した回数を示している。この参照回数を参照することにより，例えば経験の浅い，分析に不慣れな利用者も，どのような分析が妥当であるかを容易に把握することができるようになる。
【００４２】
また，この条件指定画面における第２の特長は，指定項目の参照回数が一定以上の回数を超えると，参照回数に応じて定められた色や濃淡で指定項目が強調表示されることである。この強調表示によって，必要な指定項目がすぐにわかるので，指定項目の選択を効率よく行うことができるようになる。色の濃淡で強調表示するときに用いる参照回数は，その指定項目で指定された分析データの表示時間（利用時間）による重み付けを行った値を用いてもよい。ここでは，表示時間によって重み付けされた参照回数を「参照頻度」という。
【００４３】
条件指定画面で指定項目が選択されると，その指定項目に対応する実績表示画面が表示される。図４に，実績表示画面の例を示す。実績表示画面は，図４（Ａ）に示すように，移行先条件指定画面と分析用表示画面とからなる。移行先条件指定画面と分析用表示画面とは，同じウィンドウ内に表示されるようにしてもよいし，また，別のウィンドウに表示されるようにしてもよい。
【００４４】
移行先条件指定画面の例を，図４（Ｂ）に示す。移行先条件指定画面は，基本的には，図３で説明した条件指定画面と同じであるが，移行前の指定項目が特定の色付きで表示され，どの指定項目から推移してきたのかが，直ぐに目視できるようになっている。また，移行先条件指定画面では，現在表示している分析データに関する指定項目部分が赤色などで強調表示され，どの条件のデータが表示されているのかがわかるようになっている。
【００４５】
さらに，移行先条件指定画面では，現在表示している指定項目の部分から次に推移する各指定項目の条件指定部分に，これまでの履歴データから実際にその指定項目に推移した推移回数が数値で表示される。また，移行先指定項目が推移頻度に応じた色の濃淡で表示される。
【００４６】
図４（Ｂ）の例では，現在の指定項目に該当する条件指定は，「事業部（条件指定１）−エリア（条件指定２）」であり，この指定項目部分が赤色で表示されるとともに，分析用表示画面には，例えば図４（Ｃ）に示すように，ある事業部のエリア別売上実績が表示される。この「事業部−エリア」の指定項目に移行する前の条件指定は，「条件なし−事業部」であることも，該当する指定項目部分の色付き表示（例えば桃色）で把握できるようになっている。
【００４７】
この例では，現在の指定項目である「事業部−エリア」の次に「事業部−店舗」の指定項目が選択された回数（推移回数）は５６回であり，「事業部−エリア」の次に「事業部−大分類」の指定項目が選択された回数（推移回数）は１００回であり，「事業部−エリア」の次に「事業部−中分類」の指定項目が選択された回数（推移回数）は３０回であり，…というように，移行先指定項目ごとに推移回数の数値が表示され，これらの操作履歴を示す数値からどのような分析が望ましいかについて推量できるようになっている。また，推移回数の区分に対応する推移頻度に応じて指定項目部分が濃淡の色付きで表示されるようになっている。
【００４８】
図４（Ｃ）は，分析用表示画面の表示例であり，ここで，第１事業部のエリア別売上実績に関する日計と累計，在庫回転数，平均単価などが表示される。設定された基準値から外れている行については色付きで強調表示され，基準値から外れている値については，赤字で強調表示される。図４（Ｃ）の例では，神奈川エリアの日計の粗利が基準値から外れており，この粗利の数値が赤字で強調表示されるとともに，神奈川エリアの「行」の全体が色付きで強調表示されている。
【００４９】
また，例えば日計・売上数，日計・金額，……，在庫回転数，平均単価などの各項目のどれかをポインティングデバイスでクリックすると，クリックされた項目の値について，１回目のクリックではエリア別のデータが昇順にソートされて表示され，２回目のクリックではエリア別のデータが降順にソートされて表示され，３回目のクリックでは元の状態で表示されるようになっている。
【００５０】
図５は，本発明の実施形態に係る分析支援処理装置の処理フローチャートである。以下，図１に示す分析支援処理装置１が実行する処理の流れについて，図５に従って説明する。
【００５１】
メニュー画面（図示省略）により分析処理が起動されると，ログインＩＤファイル読込み部１０２は，入力ログインＩＤをキーにして，ログインＩＤファイル２０を読み込み（ステップＳ１），利用者の担当業務を特定して記憶する（ステップＳ２）。
【００５２】
図６に，ログインＩＤファイル２０のデータ構成例を示す。ログインＩＤファイル２０には，認証のために，利用者のログインＩＤ，パスワード，部署名，役職，担当業務が記載されている。メニュー画面では，ログインＩＤ，パスワードにより認証を行い，その認証の結果，ログインＩＤファイル２０中の利用者の担当業務がメモリ上の作業領域に記憶される。
【００５３】
次に，履歴データ読込み部１０４は，利用者の担当業務に関係する履歴データ２１を記憶装置２から読み込む（ステップＳ３）。
【００５４】
図７に，履歴データ２１のデータ構成例を示す。履歴データ２１には，図７（Ａ）に示すように，シーケンス番号ＳＥＱ，参照順番，担当業務，条件指定１〜４，日付，推移前時刻，推移後時刻等が格納される。
【００５５】
履歴データ２１において，シーケンス番号ＳＥＱは，システムでユニークな通番であり，条件指定画面から実績表示画面を表示および推移させる一連の流れを一つの番号で管理するためのものである。このシーケンス番号ＳＥＱは，例えばログインごとに１ずつカウントアップされる数値である。参照順番は，１つのシーケンス番号ＳＥＱにおいて表示された実績表示画面の順番を示す数値である。
【００５６】
また，条件指定１と条件指定２は，利用者が実績表示画面を順次切り替えながら参照するときの推移前の条件指定を表し，条件指定３と条件指定４は，推移後の条件指定を表す。例えば図７（Ｂ）に示すように，シーケンス番号ＳＥＱが０００１の例では，最初は条件指定１が「店舗」，条件指定２が「大分類」の条件指定に該当する状態から，条件指定３（推移後の条件指定１に相当）が「店舗」，条件指定４（推移後の条件指定２に相当）が「中分類」の条件指定に該当する実績表示画面（「店舗−中分類」の実績表示画面と記す。以下同様）に推移し，次に，「店舗−中分類」の実績表示画面から，「店舗−アイテム」の実績表示画面に推移し，最後に「店舗−日付」の実績表示画面に推移している。
【００５７】
利用者が各実績表示画面を参照していた時間は，推移前の時刻から推移後の時刻までの時間ということになる。
【００５８】
次に，条件指定画面編集部１０６は，読み込んだ履歴データから，各条件の参照回数を集計し，図３で説明したような条件指定画面の編集を行う（ステップＳ４）。参照回数を集計するには，図７に示す履歴データ２１における条件指定１と条件指定２の組を集計すればよい。このとき，参照時間についても，「参照時間＝推移後の時刻−推移前の時刻」として集計しておくと，該当する条件指定の実績表示画面を見ていた時間が集計されることになる。
【００５９】
参照履歴を集計するには，担当業務ごとに条件指定１と条件指定２をキーにして履歴データを並び替え，その後に集計を行う。こうすることにより，その担当業務における条件指定の推移した回数が得られ，推移の傾向を利用者に提示することが可能になる。特定の条件指定１，２に絞込みを行うと，その条件指定１，２から，どの条件指定へ推移していく可能性が高いかが判る。
【００６０】
条件指定画面表示部１０７は，条件指定画面編集部１０６によって編集された条件指定画面を表示装置３に表示する（ステップＳ５）。その後，入力装置４からの条件指定の入力を待つ（ステップＳ６）。
【００６１】
入力装置４の入力があれば，操作判定部１０３は，どのような入力があったかの操作判定を行う（ステップＳ７）。終了指示であれば処理を終了し，メニュー画面の表示に戻る。入力操作が，図３に示す条件指定画面における指定項目のクリックによる条件指定であれば，入力された条件（条件指定１，２）を記憶する（ステップＳ８）。
【００６２】
履歴データ更新部１０９は，入力された条件に従って履歴データを更新する（ステップＳ９）。すなわち，履歴データ２１に新しいレコードを追加する。シーケンス番号ＳＥＱは，現在の一連の操作に付与された番号を用いる。なお，このシーケンス番号ＳＥＱは，例えばログインごとにカウントアップされる。参照順番は，操作開始時の初期値が１であり，実績表示画面の表示のときにカウントアップされる通番である。履歴データ２１における担当業務の項目には，ログインＩＤファイル２０から得られた担当業務がセットされる。
【００６３】
次に，分析データ読込み部１１０は，実績データ２３から作成された分析データ２４を指定された条件で読み込む（ステップＳ１０）。分析データ集計部１１１は，読み込んだ分析データについての集計を行い，分析用表示画面編集部１１２は，その結果をもとに分析用表示画面を編集する（ステップＳ１１）。この分析用表示画面は，図４（Ｃ）に示したような条件指定に応じた売上実績の画面である。
【００６４】
この分析データの集計による分析用表示画面の編集について，図８〜図１０を用いて説明する。実績データの分析のために，あらかじめ図８（Ａ）に示すような基準値テーブル２２が用意される。この基準値テーブル２２は，分析用表示画面における実績明細でアラームを表示する必要のある項目に対して，上限値と下限値とをあらかじめ設定しておき，その範囲を越えたときに，画面上でアラーム対象の項目を強調表示するためのものである。図８（Ａ）では，商品の売単価に対して，上限値・下限値を設定した例を示している。例えば，Ａ商品を８００円未満で売った場合，もしくは１００１円以上で売った場合に，分析用表示画面の実績明細でこの項目が強調表示される。
【００６５】
図２に示す基幹系システム５から取得する実績データ２３は，例えば図８（Ｂ）に示すようなデータである。この実績データ２３は，明細単位の取引データを累積したものであり，分析のために，商品であれば分類区分，担当する店舗，所属事業部，地域エリア等を項目として持つ。これらは，条件指定の項目となる。
【００６６】
図９は，基準値テーブルと分析データの例を示す。分析データ２４は，実績データ２３からデータ区分ごとに作成される。図９の分析データ２４は，データ区分１（売上）を対象として作成されたデータの例を示している。この作成のときには，基準値テーブル２２を参照して，上限値と下限値の範囲外の明細データがあれば，アラームに“１”をセットする。また，商品コードから日付までを条件指定項目として纏める。
【００６７】
図１０は，分析データの集約の例を示している。例えば条件指定画面により，条件指定１，２として，「事業部」と「大分類」が指定された場合，分析用表示画面の編集時に分析データ２４を指定された条件の「事業部」と「大分類」で集約する。図１０に示すデータ２０１は，分析データを「事業部」と「大分類」に着目して集計した結果である。アラームは，集約前の明細データに１つでもアラームがあれば，“１”となる。また，日計と累計も計算を行う。
【００６８】
以上のような処理により分析用表示画面の編集が終了したならば，移行先条件指定画面編集部１０８は，指定された条件をもとに移行先条件指定画面を編集する（ステップＳ１２）。この移行先条件指定画面は，図３（Ｂ）に示したような画面である。
【００６９】
次に，実績表示画面表示部１１３は，移行先条件指定画面編集部１０８が編集した移行先条件指定画面と，分析用表示画面編集部１１２が編集した分析用表示画面とを，実績表示画面として表示装置３に表示し，利用者に提示する（ステップＳ１３）。その後，画面操作を待ち受ける（ステップＳ１４）。
【００７０】
入力装置４からの画面操作の入力があると，操作判定部１０３は，操作が分析用表示画面の操作かその他の操作かを判定する（ステップＳ１５）。移行先条件指定画面等の操作であれば，ステップＳ７へ進み，終了指示でないかを判定した後，移行先条件指定画面で指定された条件に対する処理を続ける。分析用表示画面における操作であれば，明細データの並び替えなどの操作内容に応じた分析用表示画面の編集を行い，その後，ステップＳ１２へ進み，終了指示があるまで同様に処理を繰り返す。
【００７１】
ここで，条件指定の対象となる組織情報と商品情報を管理するためのデータ構造の例を説明する。組織情報は，組織階層マスタ２６によって管理される。組織情報は，図１１（Ａ）に示すように，例えば第一階層が事業部，第二階層がエリア，第三階層が店舗というように，階層化されている。図１１（Ａ）に示すような組織の場合，組織階層マスタ２６には，図１１（Ｂ）に示すように，各組織ごとに，各組織をシステム内で一意に識別するためのコードと，階層の番号と，親となる組織を示すコード（親コードという）と，組織の名称とが格納される。
【００７２】
商品情報は，商品分類マスタ２７によって管理される。商品情報は，図１２（Ａ）に示すように，例えば第一階層が大分類，第二階層が中分類，第三階層が個々の商品を示すアイテムというように，階層化されている。図１２（Ａ）に示すような商品の場合，商品分類マスタ２７には，図１２（Ｂ）に示すように，各商品ごとに，各商品をシステム内で一意に識別するためのコードと，階層の番号と，親となる商品情報を示すコードと，商品分類の名称とが格納される。
【実施例１】
【００７３】
次に，本発明の具体的な実施例を，図１３〜図１５に示すフローチャートに従って説明する。
【００７４】
メニュー画面では，ログインＩＤとパスワードにより認証を行い，選択された業務へログインＩＤを引き渡す。メニュー画面から分析業務が選択されると，ログインＩＤファイル読込み部１０２は，メニュー画面から引き渡されたログインＩＤをキーにして，ログインＩＤファイル２０を読み込む（ステップＳ２０）。このとき，履歴データ更新のための参照順番を０にセットする。
【００７５】
次に，読み込んだログインＩＤファイル２０のデータから利用者の担当業務を特定して記憶する（ステップＳ２１，Ｓ２２）。例えば，ログインＩＤファイル２０が，図６に示すようなデータを保持し，ログインＩＤが「ｃｃｃｃ」，パスワードが「ｃｃｄｄｅｅｆｆ」であったとすると，利用者の担当業務は「Ａ店舗全体管理」であることが特定され，メモリ上の作業領域に記憶される。
【００７６】
次に，記憶された担当業務をキーにして，履歴データ読込み部１０４は，履歴データ２１を読み込む（ステップＳ２３）。履歴データ集計部１０５は，期間指定テーブル２８に設定された期間についてデータを集計する（ステップＳ２４）。
【００７７】
図１６（Ａ）に期間指定テーブル２８の具体例を示す。期間指定テーブル２８には，参照回数等を集計する期間の情報と，推移回数等を集計する期間の情報とがあらかじめ個別に設定されている。なお，利用者に対して別途，履歴データの参照回数や推移回数を集計する期間を問い合わせてもよい。
【００７８】
担当業務が「Ａ店舗全体売上」の履歴データについて，条件指定１と条件指定２の組合せごとに，期間指定テーブル２８で指定された期間，参照回数と参照時間を集計した例を，図１６（Ｂ）に示す。この集計結果は，メモリ内に設けた参照集計用ワークエリア３０に記憶しておく。さらに，参照回数を参照時間で重み付けることにより，参照頻度を算出して，記憶するようにしてもよい。参照時間による重み付けは，例えば図１６（Ｃ）に示すような設定値，すなわち，参照時間が０〜３０分であれば，重み付けの値が“１”，参照時間が３１〜６０分であれば，重み付けの値が“３”，……というように，あらかじめ定められた設定値を用いて行い，この重み付けの値を参照回数に乗じたものを参照頻度とする。図１６（Ｄ）は，図１６（Ｂ）に示す参照の集計結果に対して，図１６（Ｃ）に示す重み付けの値を用いて，参照頻度を算出した例を示している。この情報も参照集計用ワークエリア３０に記憶される。
【００７９】
条件指定画面編集部１０６は，このようにして得られた参照集計用ワークエリア３０の情報と，参照頻度設定テーブル２５の設定情報とを用いて，条件指定画面を編集する（ステップＳ２５）。参照頻度設定テーブル２５には，例えば図１７（Ａ）に示すように，参照頻度の値の範囲ごとに，指定項目を表示するときに用いる色情報が設定されている。これには，例えば参照頻度が０〜２０であれば色無し，２１〜３０であれば薄黄，…，１０１以上であれば赤で，指定項目を表示することが定義されている。参照頻度設定テーブル２５に設定する色は自由に変更することができる。なお，参照頻度に応じた指定項目の表示を，色の種類ではなく，濃淡などの濃度情報を用いても行ってもよい。
【００８０】
参照集計用ワークエリア３０に，例えば図１７（Ｂ）に示すような集計データが格納されていたとすると，条件指定画面編集部１０６は，図１７（Ｃ）に示すような条件指定画面を編集することになる。条件指定画面表示部１０７は，この条件指定画面を表示装置３に表示する（ステップＳ２６）。その後，入力装置４からの条件指定の入力を待ち合わせる（ステップＳ２７）。
【００８１】
入力装置４の入力があれば，操作判定部１０３は，どのような入力があったかの操作判定を行い（ステップＳ２８），終了指示であれば処理を終了してメニュー画面の表示に戻る。入力操作が，図１７（Ｃ）に示す条件指定画面における指定項目のクリックによる条件指定であれば，履歴データ更新部１０９は，入力された条件（例えば条件指定１が「店舗」，条件指定２が「大分類」）を履歴データ２１の推移前記憶エリアに記憶する。また，参照番号に１を加算し，シーケンス番号ＳＥＱにも１を加算する（ステップＳ２９）。次に，図１４に示すステップＳ３０へ進む。
【００８２】
分析データ読込み部１１０は，実績データ２３から作成された分析データ２４を指定された条件で読み込む（ステップＳ３０）。ここで読み取られたデータが，例えば図１０に示す分析データ（売上）２４であったとして説明する。
【００８３】
分析データ集計部１１１は，読み込んだ分析データ（売上）２４について，まず条件指定１の店舗を第一キー，条件指定２の大分類を第二キーとして，分析データの並べ替え（ソート）を行う（ステップＳ３１）。図１８（Ａ）に，ソート後の分析データを示す。続いて，分析データ集計部１１１は，ソート後の分析データについて，大分類で集計を行い，日計および累計の検索を行う（ステップＳ３２）。明細データにアラームがあれば，それを含む集計結果にもアラームをセットする。図１８に示す分析データを集計した結果は，図１８（Ｂ）に示すようになる。
【００８４】
分析用表示画面編集部１１２は，条件のコードと名称との対応情報が格納された名称テーブル（図示省略）を用いて，指定された条件の名称を特定し，条件のコードを利用者が判る名称に変換する（ステップＳ３３）。図１９（Ａ）に，大分類および担当店舗の条件を，それぞれの名称に変換した後の分析データの例を示す。この集計された分析データをもとに分析用表示画面を編集する（ステップＳ３４）。
【００８５】
実績表示画面表示部１１３は，編集された分析用表示画面（実績表示画面）を表示装置３に表示する（ステップＳ３５）。店舗「飯田橋」について，商品の大分類ごとに売上実績データを分析用表示画面として表示した例を，図１９（Ｂ）に示す。なお，この分析用表示画面は，後述する移行先条件指定画面を編集後に，移行先条件編集画面とともに同時に表示してもよい。
【００８６】
次に，移行先条件指定画面の編集のために，履歴データ読込み部１０４によって履歴データ２１を読み込み（ステップＳ３６），図１６（Ａ）に示す期間指定テーブル２８を参照して履歴データ２１を集計する（ステップＳ３７）。図２０（Ａ）は，図７（Ａ）に示すような履歴データ２１について，担当業務ごとに条件指定１，２を並べ替えて，条件指定の推移回数を集計した例を示している。この例では，担当業務「Ａ店舗全体売上」について，条件指定「事業部−エリア」から条件指定「事業部−店舗」に推移した回数が１回，条件指定「事業部−店舗」から条件指定「店舗−大分類」に推移した回数が２回，……というように推移回数（期間１／２７〜１／３１）が集計されている。
【００８７】
図２０（Ｂ）は，図１６（Ａ）に示す期間指定テーブル２８で指定された期間（２００９／１／１〜２００９／１／３１）で，担当業務を「Ａ店舗全体売上」，条件指定１を「店舗」，条件指定２を「大分類」に特定して絞り込みを行い，推移集計用ワークエリア３１に集計した例を示している。これは，条件指定「店舗−大分類」から他の各条件指定へ推移した回数を表している。
【００８８】
このように集計した推移集計用ワークエリア３１のデータと推移頻度設定テーブル２９を用いて，移行先条件指定画面編集部１０８は，移行先条件指定画面を編集する（ステップＳ３８）。
【００８９】
この移行先条件指定画面の編集では，まず，現在指定されている条件の指定項目のエリアを，例えば「赤」で表示する。図２１（Ａ）は，「店舗−大分類」の指定項目を赤で表示した例を示している。また，推移頻度設定テーブル２９には，例えば図２１（Ｂ）に示すように，推移回数の値の範囲に応じて，指定項目を表示するときの色の定義情報が設定されているので，これを参照し，推移集計用ワークエリア３１に図２１（Ｃ）に示すような集計結果が格納されているとすると，移行先条件指定画面上の次に移行先となる候補の指定項目部分について，図２１（Ｄ）に示すようにこれまでの推移回数と色表示の編集を行う。これにより，どの条件からどの条件に推移する頻度が高いかを強調表示し，利用者を適切な条件の画面に誘導することができるようになる。なお，推移頻度設定テーブル２９における推移回数と色表示は，利用者が自由に設定することができる。
【００９０】
移行先条件指定画面の編集が終わると，実績表示画面表示部１１３は，分析用表示画面が表示されている実績表示画面上に，編集した移行先条件指定画面を表示する（ステップＳ４０）。図２２に，以上の処理によって表示された実績表示画面の例を示す。実績表示画面の表示後，画面操作の指示を待ち受ける（ステップＳ４１）。
【００９１】
入力装置４からの画面操作の入力があると，操作判定部１０３は，操作が移行先条件指定画面における条件指定かそれ以外かを判定する（ステップＳ４２）。移行先条件指定画面における条件指定であれば，履歴データ更新部１０９は，現在のレコードの条件指定３，４，推移後時刻，新しいレコードの推移前時刻，条件指定１，２等の履歴データ２１の必要な更新を行い（ステップＳ４３），その後にステップＳ３０へ進み，指定された条件に対する処理を同様に繰り返す。
【００９２】
画面操作が条件指定以外であれば，ステップＳ４４へ進み，終了判定を行う。操作が終了指示ではなく，分析用表示画面の操作，例えば項目名のクリックであれば，クリックされた項目名の項目を昇順または降順に並び替える処理を行い（ステップＳ４５），その後，ステップＳ４１へ戻って，再度，画面の操作指示を待ち受ける。
【００９３】
図２３に，分析用表示画面における画面操作の例を示す。分析用表示画面（図２３では売上実績画面）において，例えば「平均単価」の項目名がクリックされると，図２３のように，明細データについて平均単価の降順に並び替えられて表示される。降順にソートするか昇順にソートするかは，あらかじめ項目ごとに決めておいてもよいし，降順ソート後に再度クリックしたときに昇順にソートするというようにしてもよい。
【００９４】
ステップＳ４５における終了判定において，終了操作と判定された場合には，履歴データ更新部１０９により履歴データ２１における推移後時刻などの更新を行い，参照順番を０にリセットし（ステップＳ４６），分析処理を終了して初期のメニュー画面の表示に戻る。
【００９５】
以上では，主に売上実績データの分析を支援するシステムについて説明したが，仕入実績データ等，その他の実績データの分析を支援するシステムに対しても，同様に本発明を適用できることは明らかである。
【００９６】
以上の分析支援の処理は，コンピュータとソフトウェアプログラムとによって実現することができ，そのプログラムをコンピュータ読み取り可能な記録媒体に記録することも，ネットワークを通して提供することも可能である。
【産業上の利用可能性】
【００９７】
コンピュータ応用技術として，コンピュータにより販売管理を行い，実績資料を作成し，表示する必要のある全ての業種・業務に利用可能である。
【符号の説明】
【００９８】
１    分析支援処理装置
２    記憶装置
３    表示装置
４    入力装置
２０  ログインＩＤファイル
２１  履歴データ
２２  基準値テーブル
２３  実績データ
２４  分析データ
２５  参照頻度設定テーブル
２６  組織階層マスタ
２７  商品分類マスタ
２８  期間指定テーブル
２９  推移頻度設定テーブル
１０１  制御部
１０２  ログインＩＤファイル読込み部
１０３  操作判定部
１０４  履歴データ読込み部
１０５  履歴データ集計部
１０６  条件指定画面編集部
１０７  条件指定画面表示部
１０８  移行先条件指定画面編集部
１０９  履歴データ更新部
１１０  分析データ読込み部
１１１  分析データ集計部
１１２  分析用表示画面編集部
１１３  実績表示画面表示部
【図１】
2010237900.tif 000003
【図２】
2010237900.tif 000004
【図３】
2010237900.tif 000005
【図４】
2010237900.tif 000006
【図５】
2010237900.tif 000007
【図６】
2010237900.tif 000008
【図７】
2010237900.tif 000009
【図８】
2010237900.tif 000010
【図９】
2010237900.tif 000011
【図１０】
2010237900.tif 000012
【図１１】
2010237900.tif 000013
【図１２】
2010237900.tif 000014
【図１３】
2010237900.tif 000015
【図１４】
2010237900.tif 000016
【図１５】
2010237900.tif 000017
【図１６】
2010237900.tif 000018
【図１７】
2010237900.tif 000019
【図１８】
2010237900.tif 000020
【図１９】
2010237900.tif 000021
【図２０】
2010237900.tif 000022
【図２１】
2010237900.tif 000023
【図２２】
2010237900.tif 000024
【図２３】
2010237900.tif 000025